(57)【要約】【課題】表示器に近づくほど筐体の内部側へ深く窪んだ傾斜面を有するものの、異物が表示器に到達しにくいヘッドアップディスプレイを得る。【解決手段】ヘッドアップディスプレイ１の筐体４の上面４０に形成された凹部４１を構成する各面のうち、表示器３の前方に位置する第２の面４３は、表示器３に近づくほど筐体４の内部側へ深く窪んだ傾斜面を有するとともに、穴４４が形成されている。【選択図】図１
2017087791.tif 000002
【特許請求の範囲】
【請求項１】
凹部を有する筐体と、
前記凹部を構成する第１の面にて、前面が露出する表示器とを備え、
前記表示器の前方に位置し前記凹部を構成する第２の面は、前記表示器に近づくほど前記筐体の内部側へ深く窪んだ傾斜面を有するとともに、穴が形成されていることを特徴とするヘッドアップディスプレイ。
【請求項２】
前記穴は、前記筐体を貫通した貫通穴であることを特徴とする請求項１記載のヘッドアップディスプレイ。
【請求項３】
前記穴は、その長手方向が前記表示器の露出する前面に沿っていることを特徴とする請求項１または請求項２記載のヘッドアップディスプレイ。
【請求項４】
前記穴は、複数の丸穴であることを特徴とする請求項１または請求項２記載のヘッドアップディスプレイ。
【請求項５】
前記第２の面は、前記表示器の露出する前面よりも深く前記筐体の内部側へ窪んだ位置にある部分で、前記穴が形成されていることを特徴とする請求項１から請求項４のうちのいずれか１項記載のヘッドアップディスプレイ。
【発明の詳細な説明】
【技術分野】
【０００１】
この発明は、車両等に設けられるヘッドアップディスプレイの異物対策に関するものである。
【背景技術】
【０００２】
ヘッドアップディスプレイは、コンバイナ等に画像を投影するための表示器がむき出しの状態で設置される。さらに表示器は、画像を見るユーザの視線と交わらない位置に設置される。例えば、ヘッドアップディスプレイの筐体を窪ませて、その窪みに埋まるように、当該筐体に表示器が保持される構成を採る。しかしながらこの場合、表示器の前方には、表示器に近づくほど筐体の内部側へ深く窪んだ傾斜面が形成され、埃、液体等の異物が表示器に到達しやすい構造となる。
異物が表示器に到達すると、表示の妨げとなったり、表示器の曇り及び汚れの原因となったりする。また、異物が表示器の内部に侵入すると、故障、機器寿命の短縮、動作異常等の不具合につながる可能性がある。
【０００３】
ところで、例えば特許文献１には、フロントカバーの下端の内部側に、水を貯める樋状部を形成し、かつ当該樋状部に、水抜き孔を形成した表示装置が記載されている。
【先行技術文献】
【特許文献】
【０００４】
【特許文献１】特開平６―２８９７９２号公報
【発明の概要】
【発明が解決しようとする課題】
【０００５】
上記特許文献１に記載の発明は、屋外に設置される表示装置を特に想定したものであり、屋外設置ゆえに、フロントカバーのランプ孔から表示装置内部に侵入するのを防ぎきれない雨水を、表示装置内部への侵入後に排出するためのものである。従って、そもそも表示装置への水の到達を防ぐような構成ではない。あくまでも、一旦内部に侵入してしまった水を、排出するためのものである。
また、表示器に近づくほど筐体の内部側へ深く窪んだ傾斜面を伝って、異物が表示器に到達更には侵入するようなヘッドアップディスプレイと、表示装置前面のランプ孔から水が浸入する特許文献１の表示装置とでは、異物の経路が全く異なる。表示器に近づくほど筐体の内部側へ深く窪んだ傾斜面を有するヘッドアップディスプレイに対しては、異物がそのような傾斜面を伝うことを考慮して、適当な対策を採る必要がある。
このように、表示器に近づくほど筐体の内部側へ深く窪んだ傾斜面を有するヘッドアップディスプレイにおいて、異物が表示器に到達しにくくなる適当な構成は、従来提案がなされていなかった。
【０００６】
この発明は、上記のような課題を解決するためになされたもので、表示器に近づくほど筐体の内部側へ深く窪んだ傾斜面を有するものの、異物が表示器に到達しにくいヘッドアップディスプレイを得ることを目的とする。
【課題を解決するための手段】
【０００７】
この発明に係るヘッドアップディスプレイは、凹部を有する筐体と、凹部を構成する第１の面にて、前面が露出する表示器とを備え、表示器の前方に位置し凹部を構成する第２の面は、表示器に近づくほど筐体の内部側へ深く窪んだ傾斜面を有するとともに、穴が形成されていることを特徴とするものである。
【発明の効果】
【０００８】
この発明によれば、表示器に近づくほど筐体の内部側へ深く窪んだ傾斜面を有する第２の面に穴が形成されることで、異物が表示器に到達しにくくなる。
【図面の簡単な説明】
【０００９】
【図１】この発明の実施の形態１に係るヘッドアップディスプレイ１を示す斜視図である。
【図２】この発明の実施の形態１に係るヘッドアップディスプレイ１の概略的な断面図である。
【図３】第２の面の周辺の平面図である。
【図４】第２の面に形成する穴の第１の変形例を示す平面図である。
【図５】図５Ａは、第２の面に形成する穴の第２の変形例を示す概略的な断面図であり、図５Ｂは、第２の面に形成する穴の第２の変形例を示す平面図である。
【図６】図２とは異なる第２の面に対する表示器の位置関係を示した概略的な断面図である。
【発明を実施するための形態】
【００１０】
実施の形態１．
図１は、この発明の実施の形態１に係るヘッドアップディスプレイ１を示す斜視図である。ここでは、車両のダッシュボード１００にヘッドアップディスプレイ１を設けた場合を一例として示している。しかしながら、ヘッドアップディスプレイ１は、航空機等に設けてもよいし、非移動体に設けてもよい。また、車両に設ける場合でも、ダッシュボード１００以外の場所に設けてもよい。また、図２は、ヘッドアップディスプレイ１の概略的な断面図である。
【００１１】
ヘッドアップディスプレイ１は、ハンドル１０１を操作するドライバから見て、メータディスプレイよりも車両前方の位置に、ダッシュボード１００に埋め込むようにして設置されている。ヘッドアップディスプレイ１は、透明な板状部材であるコンバイナ２と、コンバイナ２に画像を投影する表示器３と、コンバイナ２及び表示器３を保持する箱型の筐体４とを有する。
なお、コンバイナ２ではなく、例えばフロントガラスに画像を投影するようにしてもよい。
表示器３は、液晶ディスプレイ、蛍光表示管等で構成される。
【００１２】
筐体４は、車両内で、ダッシュボード１００の一部をくり貫くようにして設けられた穴１００ａに蓋をするように取り付けられている。このとき、筐体４の上面４０は、ダッシュボード１００と連続的な面を構成しており、いわばダッシュボード１００の一部としても機能している。
筐体４の内部には、表示器３と電気的に接続された不図示の基板等が納められている。
【００１３】
筐体４の上面４０は、一部が窪んで凹部４１となっている。
凹部４１を構成する各面のうち、コンバイナ２に向けられた第１の面４２では、表示器３の前面が露出している。また、凹部４１を構成する各面のうち、表示器３の前方に位置する第２の面４３は、表示器３に近づくほど筐体４の内部側へ深く窪んだ傾斜面を有する。図示例では、第２の面４３全体が傾斜面となっているが、部分的に平坦面を有していてもよい。なお、表示器３の前方とは、表示器３の前面が向けられた方向であり、表示器３から見てコンバイナ２等の投影面がある方である。
このように、表示器３は、投影された画像を見るユーザの視線と交わらないように、上面４０が窪んだ凹部４１に埋まるようにして保持される。
【００１４】
ここで、図３に、図２中のＡ方向から見た第２の面４３周辺の平面図を示す。
第２の面４３には、筐体４の底面まで貫通した穴４４が形成されている。穴４４は、その長手方向が表示器３の露出する前面に沿った略矩形状を成す。または、略楕円形状等でもよい。埃、液体等の異物は、第２の面４３の傾斜に沿って移動し、表示器３に到達しようとする。しかしながら、図示のように穴４４が形成されることで、そうした異物は、表示器３に到達する前に穴４４からダッシュボード１００の内部へと落ちて、最終的に車両外部に排出される。
従って、異物が表示器３に到達して表示の妨げとなったり、表示器３の曇り及び汚れの原因となったりすることを防ぐことができる。また、異物が表示器３の内部に侵入して、故障、機器寿命の短縮、動作異常等の不具合が起きるのを防ぐことができる。穴４４は、第２の面４３の端部のうち、表示器３側の端部に形成されていると、異物を表示器３に到達しにくくする上で、特に好ましい。
穴４４が形成されたヘッドアップディスプレイ１では、筐体４に納められた不図示の基板と表示器３との電気的な接続は、穴４４が形成されていない部分を通して行われる。
【００１５】
なお、穴４４は、図４に示すように、複数の丸穴であってもよい。また、図４では、複数の穴４４が紙面左右方向に直線状に並べられているが、紙面左右方向に千鳥配列を成すように複数の穴４４が並べられていてもよい。いずれにせよ、複数の穴４４は、図４での紙面上下方向ではなく紙面左右方向に沿って、つまり、表示器３の露出する前面に沿って並べられていると、異物を表示器３に到達しにくくする上で、より好ましいものとなる。
また、穴４４は、貫通穴ではなく、第２の面４３の一部を窪ませた有底穴であってもよい。ただし、有底穴には貯めることができる異物の容量に限界があることを考慮すると、穴４４を貫通穴とするほうが好ましい。
【００１６】
また、図４のように複数の丸穴で穴４４を構成した場合、図４中に経路Ｒとして示すように、隣り合う丸穴の間を伝って異物が表示器３に到達する可能性がある。この場合は、図５Ａの概略的な断面図及び図５Ｂの平面図に示すように、第２の面４３が、筐体４の内部側へ更に窪んだ段差面４５を有するようにする。そして、段差面４５に、穴４４として複数の丸穴を形成する。このようにすることで、第２の面４３において穴４４が形成された部分つまり段差面４５に対して、表示器３の前面の下端が紙面上方に位置することとなる。すると、隣り合う丸穴の間を伝おうとする異物は、段差面４５に落とされて穴４４に落ち、表示器３には到達しない。従って、図４のように丸穴を設ける場合よりも更に異物が表示器３に到達しにくくなる。
【００１７】
なお、穴４４が略矩形状等の長穴であって、表示器３の露出する前面に沿う長手方向の長さが十分に長くない場合も、図４に示すような段差面４５を設けて、段差面４５に穴４４を形成するとよい。これにより、表示器３の露出する前面に沿う長手方向の長さが十分な場合の穴４４と同等に、異物を表示器３に到達しにくくすることができる。
また、図６の概略的な断面図に示すように、第１の面４２と第２の面４３との交差位置Ｃが、そもそも表示器３の前面の下端よりも紙面下方にある場合は、段差面４５を設けずに穴４４を形成しても、段差面４５を設ける場合と同等に異物を表示器３に到達しにくくすることができる。要は、第２の面４３に穴４４を形成する際、表示器３の露出する前面よりも深く筐体４の内部側へ窪んだ位置にある部分に、穴４４を形成できればよい。
【００１８】
上記では、筐体４の上面４０が、ダッシュボード１００の一部としても機能するようにヘッドアップディスプレイ１を設置した場合を例に説明したが、穴１００ａの無いダッシュボード１００上にヘッドアップディスプレイ１を取り付けてもよい。この場合に、第２の面４３を伝う異物を車両外部に排出させるには、ヘッドアップディスプレイ１の穴４４を貫通穴とするとともに、穴４４に対向するダッシュボード１００の部分にも貫通穴を設けるようにすればよい。
【００１９】
以上のように、この実施の形態１に係るヘッドアップディスプレイ１によれば、表示器３の前方に位置し、表示器３に近づくほど筐体４の内部側へ深く窪んだ傾斜面を有する第２の面４３には、穴４４が形成される。第２の面４３の傾斜面を伝って表示器３に向かう異物は、穴４４に落ちることとなり、異物が表示器３に到達しにくくなる。
【００２０】
また、穴４４は、筐体４を貫通した貫通穴であることとした。従って、有底穴とするよりも効果的に異物を表示器３に到達しにくくすることができる。
【００２１】
また、穴４４は、その長手方向が表示器３の露出する前面に沿っていることとした。従って、表示器３の露出する前面に沿う方向にひとつながりの穴ができ、例えば複数の丸穴とする場合よりも効果的に異物を表示器３に到達しにくくすることができる。
【００２２】
また、穴４４は、複数の丸穴であることとした。従って、穴４４が略矩形状等であるときの長径と比べて各穴の径を小さくすることができ、穴４４の存在感が薄れて意匠性が向上する。
【００２３】
また、第２の面４３は、表示器３の露出する前面よりも深く筐体４の内部側へ窪んだ位置にある部分で、穴４４が形成されていることとした。従って、穴４４が複数の丸穴であったり、表示器３の露出する前面に沿う長手方向の長さが十分ではない略矩形状の穴であったりしても、効果的に異物を表示器３に到達しにくくすることができる。
【００２４】
なお、本願発明はその発明の範囲内において、実施の形態の任意の構成要素の変形、もしくは実施の形態の任意の構成要素の省略が可能である。
【符号の説明】
【００２５】
１  ヘッドアップディスプレイ、２  コンバイナ、３  表示器、４  筐体、４０  上面、４１  凹部、４２  第１の面、４３  第２の面、４４  穴、４５  段差面、１００  ダッシュボード、１００ａ  穴、１０１  ハンドル。
【図１】
2017087791.tif 000003
【図２】
2017087791.tif 000004
【図３】
2017087791.tif 000005
【図４】
2017087791.tif 000006
【図５】
2017087791.tif 000007
【図６】
2017087791.tif 000008